(57)【要約】【課題】自動車のシートや肘掛けのあるソファーに好適な埃叩き出し具に関し、自動車のシートのサイドサポート部やソファーの肘掛の境目の窪んだ部分の埃も容易に叩き出すことができ、また打ちつけたときに叩き面がシート面に平らに当って埃を満遍なく叩き出すことが可能な、構造が簡単で取扱いが容易な埃叩き出し具を提供する。【解決手段】柄２と握り４と叩き面３とを備え、撓み変形可能な弾性を有する杆材で形成した柄２の先端に当該杆材を屈曲して叩き面３を形成した埃叩き出し具において、柄２と叩き面３との連接部に、杆材が下方に屈曲された下方屈曲部６と、当該杆材が握り４の下方に向く方向に屈曲された戻り屈曲部７と、当該戻り屈曲部から反握り側へ両外側に円弧状に屈曲されて叩き面の周縁に連なる反転屈曲部８とを備え、前記戻り屈曲部７が叩き面３の中央部に位置し、かつ柄２と叩き面３との間に段差が形成されている。【選択図】      図１
2008093110.tif 000002
【特許請求の範囲】
【請求項１】
柄(2)と握り(4)と叩き面(3)とを備え、撓み変形可能な弾性を有する杆材で形成した柄(2)の先端に当該杆材を屈曲して叩き面(3)の少なくとも周縁部を形成した埃叩き出し具において、
柄(2)と叩き面(3)との連接部に、前記杆材が下方に円弧状に屈曲された下方屈曲部(6)と、当該杆材が握り(4)の下方に向く方向に円弧状に屈曲された戻り屈曲部(7)と、当該戻り屈曲部から反握り側へ両外側に円弧状に屈曲されて叩き面の周縁に連なる反転屈曲部(8)とを備え、前記戻り屈曲部(7)が叩き面(3)の中央部に位置し、かつ柄(2)と叩き面(3)との間に段差が形成されていることを特徴とする、埃叩き出し具。
【請求項２】
前記柄(2)と叩き面(3)との連接部が各独立に撓み変形可能に分離された左右の前記杆材で形成されていることを特徴とする、請求項１記載の埃叩き出し具。
【発明の詳細な説明】
【技術分野】
【０００１】
この発明は、布団、ソファー、自動車のシート、じゅうたんなどの内部から埃を叩き出す埃叩き出し具に関するものである。
【背景技術】
【０００２】
藤蔓を屈曲して叩き面と柄とを一体に形成した布団叩き具は、古くから広く用いられている。この布団叩き具は、図６、７に示すように、内側にループ１０を有するハート型の叩き面３と、この叩き面から直線的に伸びる柄２とを備えており、柄の基端（反叩き面側）に藤蔓を巻き付けた握り４が形成されている。この布団叩き具の柄２は、図７の側面視に示すように、叩き面３と同一平面状に直線的に伸びている。
【０００３】
図６、７に示す布団叩き具に対して、平らに置かれた布団やじゅうたんの面を叩くときに、握り４を握っている手が邪魔になって、叩き面３を叩こうとする布団やじゅうたんの面（以下「叩かれ面」という）に平らに叩きつけることができないという問題点が指摘されている。
【０００４】
この問題点を解決するために、下記特許文献１には、柄に対して叩き面に角度をつけた布団叩き具が示されている。また特許文献２には、杆材を屈曲して形成したものではないが、叩き面から斜め上方に伸びる柄を備えた吸塵式マット叩きが示されている。
【０００５】
更に特許文献３には、柄の先端側（叩き面側）を下方に屈曲し、その先端に叩き面を角度をつけて設けることによって、叩き面と柄との間に段差を設けた布団たたきが提案されている。
【０００６】
また、他の構造として、直線的に伸びる柄の先端から下方に分岐ないし屈曲された枝管ないし屈曲管を設けて、その先端に球状ないし半球状の叩き体を取り付けた布団叩き器具が特許文献４に提案されている。
【特許文献１】実開平３‐１２８０５１号公報
【特許文献２】実開平７‐１２０６１号公報
【特許文献３】特開平９‐３２２８７７号公報
【特許文献４】実開平６‐２４６６６号公報
【発明の開示】
【発明が解決しようとする課題】
【０００７】
自動車の車内の清掃をするとき、車内のシートやじゅうたんは、一般家庭で用いられている吸引式の掃除機で埃を吸い取って掃除を行っている。しかし、吸引式の掃除機で吸い取っただけでは、清掃をした後、日光の下でシート面を叩くと細かい埃が舞い上がるのが分かるなど、シートやじゅうたんの内部に侵入している埃を吸い取ることができず、車内を十分清潔にすることができない。
【０００８】
従って、車内の清潔を保持するためには、清掃の際に車内のシートやじゅうたんを前述した布団叩き具などの埃叩き出し具で叩いて、内部に侵入している埃を叩き出す必要がある。
【０００９】
しかし、柄が叩き面と同一面上で伸びている図６、７の布団叩きはもちろん、柄が叩き面から斜めに伸びている埃叩き出し具では、例えば両側にサイドサポート部のある自動車のバケットシートの座面の窪みの部分や、ソファーの肘掛に近い座面の部分等に、叩き面を平らに打ち付けることができず、これらの部分の埃の叩き出しをうまく行うことができない。
【００１０】
更に、柄と叩き面との間に段差をつけた従来構造の埃叩き出し具を用いても、シートの肘掛やサイドサポート部に隣接する座面の隅の部分に叩き面をうまく当てることができず、この部分の埃をうまく叩き出すことができない。
【００１１】
すなわち、自動車のシートを叩く際には、ダッシュボードや前席の背もたれが邪魔になって、前方から座面を叩くことができず、側方から叩こうとすると、座面の両側にあるサイドサポート部に埃叩き出し具の柄が当り、座面の窪んだ部分、特にサイドサポート部との境目の部分に埃叩き出し具の叩き面を当てることができないのである。
【００１２】
更に従来の埃叩き出し具、特に上記特許文献２や特許文献４に示された構造のものでは、叩き面をシート面に平らに当てるように叩かないと、叩き面が片当りして埃を満遍なく叩き出すことができないという問題がある。
【００１３】
そこで、この発明は、自動車のシートやソファーの座面と肘掛やサイドサポート部との境目の窪んだ部分の埃も容易に叩き出すことができ、また打ちつけるときの叩き面の角度に狂いがあっても、打ちつけたときに叩き面がこれらの窪んだ部分のシート面に平らに当って埃を満遍なく叩き出すことが可能な、構造が簡単で取扱いが容易な埃叩き出し具を提供することを課題としている。
【課題を解決するための手段】
【００１４】
上記課題を解決したこの出願の請求項１の発明に係る埃叩き出し具は、柄２と握り４と叩き面３とを備え、撓み変形可能な弾性を有する杆材で形成した柄２の先端に当該杆材を屈曲して叩き面３の少なくとも周縁部を形成した埃叩き出し具において、柄２と叩き面３との連接部に、前記杆材が下方に円弧状に屈曲された下方屈曲部６と、当該杆材が握り４の下方に向く方向に円弧状に屈曲された戻り屈曲部７と、当該戻り屈曲部から反握り側へ両外側に円弧状に屈曲されて叩き面の周縁に連なる反転屈曲部８とを備え、前記戻り屈曲部７が叩き面３の中央部に位置し、かつ柄２と叩き面３との間に段差が形成されていることを特徴とするものである。
【００１５】
この出願の請求項２の発明は、上記手段を備えた埃叩き出し具において、前記柄２と叩き面３との連接部が各独立に撓み変形可能に分離された左右の前記杆材で形成されていることを特徴とするものである。
【００１６】
ここで撓み変形可能な弾性を有する杆材は、藤蔓、竹、樹脂、金属線材、これらの複合材などの曲げ方向に弾性変形可能な直径２〜１０ｍｍ程度の棒材で、例えば直径４〜６ｍｍの太さに樹脂被覆されたアルミニウム線材などが好適である。叩き面３は、これらの杆材を屈曲して柄２と一体に形成するのが好ましい。叩き面３の周縁をこれらの杆材を屈曲して柄２と一体に形成し、その周縁の内側に紐や網を張って叩き面３を形成することもできる。
【００１７】
下方屈曲部６は、柄から下方、すなわち叩き面３側へと屈曲する部分である。戻り屈曲部７は、下方屈曲部６と連続して下向きから柄２の基端側へと屈曲する部分である。反転屈曲部８は、柄の基端側へと向く方向から外側に曲げられて、更に先端側（反握り側）へと屈曲する部分である。この反転屈曲部から先端側へと伸びる杆材によって、叩き面３の周縁を形成することができる。
【００１８】
そして、図４に示すように、下方屈曲部６と戻り屈曲部７により、柄２と叩き面３との間に、シートの座面１２などを叩くときに、肘掛やサイドサポート部１３と柄２との干渉を避けるための段差が形成される。また、戻り屈曲部７と反転屈曲部８により、叩き面３と柄２の連接部が叩き面３の中央部に位置することとなり、叩き面３がその中央部を中心にして柄２に対して前後方向に撓み揺動可能になる（図４の想像線参照）。
【００１９】
請求項２に示す構造においては、上記屈曲部６、７、８を形成した柄２と叩き面３との連接部において、柄２から叩き面３の周縁へと連なる杆材が左右、すなわち叩き面３の幅方向に分離されて、各独立に撓み変形可能である。この構造によれば、図５に想像線で示すように、連接部の２本の杆材の独立した上下方向の撓みにより、叩き面３がシートの座面１２の傾きに応じて柄２の捻じれ方向に変形可能である。
【００２０】
すなわち、前述した請求項１の構造により、叩き面３がその中央部を中心として前後方向に撓み揺動可能で、かつ請求項２の構造により、左右方向にも撓み揺動可能となるため、叩いたときに叩かれ面１２から受ける反力によって、叩き面３が叩かれ面１２と平行になる方向に撓むこととなり、曲面となった、あるいは窪みとなった叩かれ面１２に叩き面３を満遍なく当てることができる。
【発明の効果】
【００２１】
この発明の構造の埃叩き出し具によれば、自動車のシートやソファーの肘掛やサイドサポート部の付け根にある座面の深い窪みの部分にも、その叩かれ面に叩き面を平らにして叩くことができる。また、叩かれ面と叩き面との間に前後方向の角度差があっても、叩いたときの反力に伴う連接部の弾性撓みにより、叩き面３が柄２との連接部を中心にしてシーソのように揺動して叩かれ面に平らに打ち付けられる。
【００２２】
更に請求項２の構造によれば、叩かれ面と叩き面との間に柄２に対する捻じれ方向の角度差があっても、叩き面３の左右の面に段差が付くように叩き面３が撓み変形して、叩き面３が叩かれ面に均一に打ちつけられる。
【００２３】
従って、この発明の埃叩き出し具により、窪みや肘掛ないしサイドサポート部のあるソファーや自動車のシートなどの内部に侵入している埃を能率よく、かつ隅々まで叩き出すことができる。そして、この発明の埃叩き出し具と吸引式の掃除機とを併用することにより、ソファーやシートのある室内ないし車内を十分清潔に清掃することができるという効果がある。
【発明を実施するための最良の形態】
【００２４】
図１ないし図３は、この発明の埃叩き出し具の好ましい形態の一例を示した図で、図１は斜視図、図２は平面図、図３は側面図である。図に示した埃叩き出し具は、１本の杆材１を屈曲成形することにより、柄２と叩き面３とを形成し、別体で形成した握り４の軸方向の２個の孔に柄２を形成している２本の杆材の基端を嵌入して固定した構造である。
【００２５】
柄２は、先端（叩き面側）に向けて間隔が若干広がる方向に伸びる２本の杆材で形成されており、その中間位置で下方（叩き面側）にわずかにへの字状に屈曲されている。柄２と叩き面３との連接部には、柄２の先端から円弧状に下方に曲がる下方屈曲部６と、これに連続して更に握り４の下方側へと円弧状に曲がる戻り屈曲部７とが一連の半円弧状にして設けられている。
【００２６】
戻り屈曲部７から握り４の下方へと伸びた杆材は、叩き面３の手前端（握り側の端部）で両外側、かつ前方へと半円状に屈曲された反転屈曲部８を経て叩き面３の周縁３ａへと繋がっている。
【００２７】
図の例では、反転屈曲部８から前方に伸びた叩き面周縁の杆材は、叩き面３の前端部で内側へと半円状に屈曲された前端屈曲部９を経て、叩き面３の内側にループ部１０を形成している。
【００２８】
反転屈曲部８及びそれから前方に伸びる叩き面周縁３ａ並びに前端屈曲部９及びループ部１０は、同一平面状にある。図の例では、戻り屈曲部７から反転屈曲部８に伸びる部分Ａも叩き面３と同一の面上に位置しているが、この部分を斜め上方に傾斜させて設けてループ部１０を叩き面後端側に伸ばした形状とすることもできる。また、ループ部１０を複数個設けた構造とすることもできる。更にループ部１０を設けないで周縁３ａの間に紐や網を張り渡して叩き面を形成してもよいが、一般的には製造が面倒で、コスト高になる。
【図面の簡単な説明】
【００２９】
【図１】この発明の埃叩き出し具の一例を示す斜視図
【図２】図１の埃叩き出し具の平面図
【図３】図１の埃叩き出し具の側面図
【図４】使用時のサイドサポート部と柄の関係及び叩き面の前後方向の撓み揺動を示す説明図
【図５】使用時の叩き面の左右方向の撓み揺動を示す説明図
【図６】公知の布団叩き具の平面図
【図７】図６の布団叩き具の側面図
【符号の説明】
【００３０】
２  柄
３  叩き面
４  握り
７  戻り屈曲部
８  反転屈曲部
【図１】
2008093110.tif 000003
【図２】
2008093110.tif 000004
【図３】
2008093110.tif 000005
【図４】
2008093110.tif 000006
【図５】
2008093110.tif 000007
【図６】
2008093110.tif 000008
【図７】
2008093110.tif 000009